(57)【要約】【課題】被膜全体の剥離を防止でき、それにより、視覚的効果や滑り止め効果等の被膜本来の機能を維持できるとともに、外観の向上も図ることができる釣具を提供することを目的とする。【解決手段】本発明の釣具は、釣具本体の基材表面１２ａに設けられる凹部２０と、凹部２０内と凹部２０周辺とにわたって形成される第１の被膜層２４と、凹部２０内で第１の被膜層２４上に形成される第２の被膜層２６とを有する。第２の被膜層２６は、第１の被膜層２４と性質が異なり、凹部２０の内面形状に沿って延在するとともに、その端部２６ａが基材表面１２ａよりも凹部２０の内側に位置される。【選択図】図３
2014007970.tif 000002
【特許請求の範囲】
【請求項１】
釣具本体の基材表面に設けられる凹部と、該凹部内と凹部周辺とにわたって形成される第１の被膜層と、前記凹部内で前記第１の被膜層上に形成される第２の被膜層とを有し、前記第２の被膜層は、前記第１の被膜層と性質が異なり、前記凹部の内面形状に沿って延在するとともに、その端部が前記基材表面よりも前記凹部の内側に位置されることを特徴とする釣具。
【請求項２】
前記第１の被膜層の端部は、前記基材表面に設けられた溝内に位置されることを特徴とする請求項１に記載の釣具。
【請求項３】
前記第１の被膜層は、前記凹部を含めた基材表面上にわたって延在する下地層上に積層されることを特徴とする請求項１または請求項２に記載の釣具。
【請求項４】
前記第１の被膜層が滑り止め層であり、前記第２の被膜層が着色層であることを特徴とする請求項１ないし請求項３のいずれか１項に記載の釣具。
【発明の詳細な説明】
【技術分野】
【０００１】
本発明は、釣竿やリールなどを含む釣具に関し、特に、被膜の形成形態に特徴を有する釣具に関する。
【背景技術】
【０００２】
従来から、釣竿やリールなどの釣具においては、その表面にデザイン模様を施す場合があり、あるいは、握り部に滑り止めを施す場合もある。そして、そのような模様や滑り止めは、例えば、塗装などによって被膜を形成することで実現される。
【０００３】
例えば、特許文献１には、釣竿の握り部の表面上に滑り止め被膜を形成するとともに、この被膜の周縁に沿って前記握り部の表面上に溝を形成し、該溝内に前記被膜の周縁を収めるように位置させる被膜形成形態が開示されている。
【０００４】
また、特許文献２には、釣竿の握り部の表面に凹状の表示部を設け、この表示部内にインキ層（着色層）を埋設して成る着色表示形態が開示されている。
【０００５】
更に、特許文献３には、釣竿の表面上に異種の塗膜で構成される塗装層を設け、前記塗膜のうち耐久性に劣る塗膜の端部を耐久性に優れた塗膜で覆って成る塗装層形成形態が開示されている。
【先行技術文献】
【特許文献】
【０００６】
【特許文献１】実開平６−１３４６９号
【特許文献２】特開２００２−３０６０２９号
【特許文献３】特開平９−２８９８４８号
【発明の概要】
【発明が解決しようとする課題】
【０００７】
確かに、特許文献１によれば、被膜の周縁を溝内に収めるように位置させているため、被膜の周縁が手に触れることがなく、被膜の端部からの剥離を防止できるとともに、把持したときに違和感を抱き難くなる。しかしながら、特許文献１の被膜形成形態では、被膜による滑り止め効果のみであり、外観の向上について何ら考慮されていない。また、被膜の端部以外の部位での剥離を防止する手段が講じられていない。
【０００８】
また、特許文献２によれば、着色層が凹部に埋設されているため、着色層の耐摩耗性に優れる。しかしながら、特許文献２では、凹部にインキを層状に形成しているだけであるため、凹部がインキ層によって平面的に埋まり、表示部（凹部）は、色による識別のみとなって立体感がなくなるなど、視覚的効果に乏しくなる。また、凹部が埋まるため、滑り止め効果も得られない。
【０００９】
また、特許文献３によれば、異種の塗膜の端部同士を重ね合わせているため、塗膜端部の剥離を防止できる。しかしながら、この特許文献３においても、特許文献１と同様に、塗膜の端部以外の部位での剥離を防止する手段が講じられていない。
【００１０】
本発明は、前記事情に着目してなされたものであり、その目的とするところは、被膜全体の剥離を防止でき、それにより、視覚的効果や滑り止め効果等の被膜本来の機能を維持できるとともに、外観の向上も図ることができる釣具を提供することにある。
【課題を解決するための手段】
【００１１】
前記課題を解決するために、本発明の釣具は、釣具本体の基材表面に設けられる凹部と、該凹部内と凹部周辺とにわたって形成される第１の被膜層と、前記凹部内で前記第１の被膜層上に形成される第２の被膜層とを有し、前記第２の被膜層が、前記第１の被膜層と性質が異なり、前記凹部の内面形状に沿って延在するとともに、その端部が前記基材表面よりも前記凹部の内側に位置されることを特徴とする。
【００１２】
このような構成によれば、第１の被膜層は、凹部内で第２の被膜層によって上側から覆われるため、その剥離が第２の被膜層によって効果的に防止される。特に、この構成では、凹部の数に対応する箇所で第１の被膜層が第２の被膜層によって上側から支持されるため、凹部の数に応じた剥離防止効果を得ることができる。また、上記構成によれば、第２の被膜層は、凹部内に完全に埋没された状態（第２の被膜層の端部が基材表面よりも凹部の内側に位置された状態）となっているため、第２の被膜層が釣人の手や障害物と接触することがなく、したがって、第２の被膜層の剥離を防止できる（また、第２の被膜層によって凹部が完全に埋まらないため、凹部による滑り止め効果を得ることもできる）。つまり、上記構成では、第１の被膜層が凹部内で第２の被膜層により覆われるとともに、第２の被膜層が凹部内に完全に埋没されることにより、２つの被膜層の両者の剥離が防止され、被膜構造全体の剥離を効果的に防止することが可能になる。特に、上記構成は、第１および第２の被膜層同士の密着性が悪い（性質が異なる）場合に有益である。
【００１３】
また、上記構成では、第１の被膜層の性質と第２の被膜層の性質とを異ならせることで被膜構造の多機能化を実現できる。例えば、第１の被膜層を滑り止め層とし、第２の被膜層を着色層とすれば、滑り止め機能と外観向上機能とを得ることができる。また、前述した剥離防止機能により、このような視覚的効果や滑り止め効果等の被膜本来の機能を維持できることは言うまでもない。また、上記構成によれば、第２の被膜層が凹部の内面形状に沿って延在するため、凹部の立体感を維持できる（したがって、立体感により外観が向上する）とともに、（第２の被膜層が凹部内に埋没しているため）第１の被膜層と異なる第２の被膜層の性質を第１の被膜層上で長期にわたって維持することができる。
【００１４】
なお、上記構成において、「釣具」とは、釣竿、リール、釣竿やリールに付設される物品、糸巻き用スプール、釣り用疑似餌などを含む釣りに用いられる物品を意味する。
【００１５】
また、上記構成において、第１の被膜層の端部は、基材表面に設けられた溝内に位置されることが好ましい。これによれば、第１の被膜層は、第２の被膜層による支持に加えて、その端部が基材表面に設けられる溝内に位置されるため（したがって、釣人の手や障害物と接触しないため）、その剥離が更に確実に防止される。また、上記構成において、第１の被膜層は、凹部を含めた基材表面上にわたって延在する下地層上に積層されてもよい。これによれば、例えば、第１の被膜層と基材表面との密着性が悪い場合でも、下地層を介することでこれら両者の良好な密着性を得ることができる。
【発明の効果】
【００１６】
本発明によれば、被膜全体の剥離を防止でき、それにより、視覚的効果や滑り止め効果等の被膜本来の機能を維持できるとともに、外観の向上も図ることができる釣具を提供することができる。
【図面の簡単な説明】
【００１７】
【図１】本発明の釣具の第１の実施形態に係るリールシートを装着して成る釣竿の全体図である。
【図２】図１の釣竿の元竿およびそれに装着されたリールシートの側面図である。
【図３】リールシートに設けられる被膜層構造の拡大断面図（図２のＡ−Ａ線に沿う断面図）である。
【図４】本発明の釣具の第２の実施形態に係るハンドルノブを有するリールの正面図である。
【発明を実施するための形態】
【００１８】
以下、添付図面を参照して、本発明に係る釣具の実施形態について説明する。
【００１９】
図１〜図３は本発明の第１の実施形態を示している。図１は、釣具としてのリールシートを装着して成る釣竿１の全体図を示している。釣竿１は、例えば磯や防波堤で使用される外ガイド付きの振り出し竿であり、穂先側の複数の竿杆が元竿側の竿杆内に順次収納可能に形成されている。具体的には、釣竿１は、穂先２を有する先竿（竿杆）４と、元竿（竿杆）５とから成っており、これらの竿杆にはそれぞれ穂先も含めて必要な数の釣糸ガイド３が設けられている。
【００２０】
また、元竿５の手元側には、釣用リール９を装着可能なリールシート７が設けられる。なお、リールシート７およびその前後の元竿５の部分は、釣人が握持するための握り部を構成する
【００２１】
図２に明確に示されるように、リールシート７は、釣竿の竿杆、本実施形態では元竿５の外周に被嵌される筒状のリールシート本体１２（以下、シート本体と称する）を備えており、このシート本体１２に、以下の構成部材が設けられている。なお、シート本体１２は、図示しない金型を用いて合成樹脂を射出成形することで一体形成することが可能である。
【００２２】
シート本体１２は、リール９の脚部Ｒ１の載置部Ｒ１ａ（脚部Ｒ１の一部を形成し、脚部Ｒ１の本体の先端でこれに対して略垂直に延びる所定の長さを有する部分）が載置されるように平坦面となったリール脚載置面１３と、その前後に対向して配置され、リール脚Ｒ１（具体的には、載置部Ｒ１ａの前端および後端）を受け入れる開口部１５ａ，１６ａを有する一対のフード１５，１６とを有している。これらの一対のフード１５，１６のうち、少なくとも一方は移動式に構成されており（本実施形態では、後方側が移動フード１６になっており、前方側が固定フード１５となっている）、公知のように、移動フード１６に一体的に設けられた緊締レバー（図示せず）の係止爪（図示せず）を、緊締レバーを倒伏させてシート本体１２に設けられた移動フード係止凹凸部材（図示せず）に係合することで、リール９を締め付け固定できるように構成されている。
【００２３】
シート本体１２には、移動フード１６が軸方向Ｘに沿って移動できるように、左右両側面に、移動フード１６の移動を案内する案内部（案内溝）１０が軸方向Ｘに沿って所定範囲にわたり形成されている。この案内部１０には、移動フード１６の本体に一体形成された係合部（図示せず）が係合するようになっており、これにより、移動フード１６がシート本体１２から外れることなく軸方向Ｘに沿って案内されるようになっている。
【００２４】
リール脚載置面１３の後方側には、案内部１０に対応して移動フード係止凹凸部材（図示せず）が取着されている。この移動フード係止凹凸部材は、リール脚載置面１３の表面に形成された凹所内に嵌合した状態で止着されている。
【００２５】
なお、移動フード１６、前記緊締レバー、前記係止爪、および、前記移動フード係止凹凸部材は、例えば、ステンレス、アルミニウム合金、チタン、真鍮等の金属によって一体的に形成されており、移動フード１６の内面には、例えば、樹脂等によって形成されてリールの脚部Ｒ１が当て付く当て付け部材（図示せず）が取着されている。
【００２６】
また、本実施形態では、リールシート７のシート本体１２の表面に、滑り止め塗装が施されるとともに、外観向上のための着色塗装も施されている。そして、これらの塗装には、それを構成する被膜層が剥離しないような工夫と、外観向上のための工夫とが施されている。
【００２７】
具体的には、図２に示されるように、釣具本体としてのシート本体１２の基材表面１２ａに複数の凹部２０が（本実施形態では一定の間隔を隔てて長手方向に一列に）設けられる。そして、図３に明確に示されるように、凹部２０内と凹部２０周辺とにわたって滑り止め層としての第１の被膜層２４が形成される。なお、本実施形態では、凹部２０を含めた基材表面１２ａ上にわたって延在する下地層２２上に第１の被膜層２４が積層されているが、下地層２２は無くても構わない。
【００２８】
ここで、下地層（塗料層）２２は、例えばスプレーによって基材表面１２ａ上に塗布され、一定の膜厚を有している。また、第１の被膜層２４は、例えばスプレーによって下地層２２上に塗布され、例えば軟質であり、粒子が含浸されたゴム系塗料によって構成される。また、本実施形態では、外観向上のために第１の被膜層２４が艶を有する。また、第１の被膜層２４の端部２４ａは、基材表面１２ａに設けられた溝３０内に位置されている。
【００２９】
また、図３に示されるように、各凹部２０内には第１の被膜層２４上に着色層として第２の被膜層２６が形成される。この第２の被膜層２６は、第１の被膜層２４と性質が異なっており（第１の被膜層２４が滑り止め層であるのに対して、第２の被膜層２６は着色層）、着色のための染料または顔料が含浸された樹脂によって構成され、艶を有していない。また、第２の被膜層２６は凹部２０の内面形状に沿って凹状に延在しており、その端部２６ａは、基材表面１２よりも凹部２０の内側に位置され（第２の被膜層２６の端部２６ａの端縁（上端）が基材表面１２ａの延長仮想線Ｌから所定距離ｓだけ凹部２０の内側に引き込んで位置される）、端縁（上端）へ向かって次第にその厚さが薄くなる（先細る）テーパ状に形成される。
【００３０】
このような第２の被膜層２６の形成形態は、例えば、第２の被膜層２６を構成する塗料を筆などによって凹部２０内および凹部２０周辺の第１の被膜層２４上に塗布し、その後、凹部２０外部の第１の被膜層２４上に付着した塗料を拭き取る（この拭き取りにより、第２の被膜層２６の端部２６ａのテーパ状の端縁が基材表面１２ａの延長仮想線Ｌから所定距離ｓだけ凹部２０の内側に凹状に引き込んで位置されるようになる）ことにより得られる。なお、第２の被膜層２６を乾燥させた後にその保護を完全にするべく、第２の被膜層２６上に随意的にクリア層を塗布してもよい。
【００３１】
以上説明したように、本実施形態によれば、第１の被膜層２４が凹部２０内で第２の被膜層２６によって上側から覆われるため、第１の被膜層２４の剥離が第２の被膜層２６によって効果的に防止される。特に、この構成では、凹部２０の数に対応する箇所で第１の被膜層２４が第２の被膜層２６によって上側から支持されるため、凹部２０の数に応じた剥離防止効果を得ることができる。また、本実施形態によれば、第２の被膜層２６は、凹部２０内に完全に埋没された状態（第２の被膜層２６の端部２６ａが基材表面１２ａよりも凹部２０の内側に位置された状態）となっているため、第２の被膜層２６が釣人の手や障害物と接触することがなく、したがって、第２の被膜層２６の剥離を防止できる（また、第２の被膜層２６によって凹部２０が完全に埋まらないため、凹部２０による滑り止め効果を得ることもできる）。つまり、本実施形態の構成では、第１の被膜層２４が凹部２０内で第２の被膜層２６により覆われるとともに、第２の被膜層２６が凹部２０内に完全に埋没されることにより、２つの被膜層２４，２６の両者の剥離が防止され、被膜構造全体の剥離を効果的に防止することが可能になる。特に、このような構成は、第１および第２の被膜層２４，２６同士の密着性が悪い（性質が異なる）場合に有益である。また、本実施形態において、第１の被膜層２４は、第２の被膜層２６による支持に加えて、その端部２４ａが基材表面１２ａに設けられる溝３０内に位置されるため（したがって、釣人の手や障害物と接触しないため）、その剥離が更に確実に防止される。
【００３２】
また、本実施形態の構成では、第１の被膜層２４の性質と第２の被膜層２６の性質とを異ならせることで被膜構造の多機能化を実現できる。つまり、第１の被膜層２４を滑り止め層とし、第２の被膜層２６を着色層としているため、滑り止め機能と外観向上機能とを得ることができる。また、本実施形態によれば、第２の被膜層２６が凹部２０の内面形状に沿って延在するため、凹部２０の立体感を維持できる（したがって、立体感により外観が向上する）とともに、（第２の被膜層２６が凹部２０内に埋没しているため）第１の被膜層２４と異なる第２の被膜層２６の性質を第１の被膜層２４上で長期にわたって維持することができる。また、第１の被膜層２４を艶有りとし、第２の被膜層２６を艶消しとした外観を施しているため、光沢差異が生まれ、視覚的に目立つデザインを実現できる。
【００３３】
図４は本発明の第２の実施形態を示している。図示のように、本実施形態では、両軸受型リール５０のハンドル５２の両端に設けられる釣具としてのハンドルノブ５４（ノブ本体）の基材表面に凹部２０を設け、この凹部２０および凹部２０周囲に第１の実施形態と同様にして第１の被膜層２４を塗布するとともに、凹部２０内の第１の被膜層２４上に第１の実施形態と同様にして第２の被膜層２６を塗布している。したがって、ハンドルノブ５４に対して第１の実施形態と同様の作用効果を与えることができる。
【００３４】
なお、本発明は、前述した実施形態に限定されず、その要旨を逸脱しない範囲で種々変形して実施できる。例えば、凹部２０の形状や個数、溝３０の数は任意である。また、第１および第２の被膜層の性質および構成形態（成分組成）も任意であり、例えば、前述した実施形態と逆の形態、すなわち、第１の被膜層２４に艶がなく、第２の被膜層２６に艶があってもよい。また、前述した実施形態では、凹部２０とそれに関連付けられる第１および第２の被膜層２４，２６がリールシート７およびハンドルノブ５４に設けられているが、このような被膜形成形態は、他の釣具、例えば、釣竿１（竿杆２，４，５や握り部など）の表面に施されてもよく、あるいは、スプール５１を回転可能に支持するリール本体５２（図４参照）の外面に施されてもよく、全ての釣具の表面に施すことが可能である。
【符号の説明】
【００３５】
７  リールシート（釣具）
１２  シート本体（釣具本体）
１２ａ  基材表面
２０  凹部
２２  下地層
２４  第１の被膜層
２４ａ  第１の被膜層の端部
２６  第２の被膜層
２６ａ  第２の被膜層の端部
３０  溝
５４  ハンドルノブ（釣具）
【図１】
2014007970.tif 000003
【図２】
2014007970.tif 000004
【図３】
2014007970.tif 000005
【図４】
2014007970.tif 000006